(57)【要約】【課題】電動送風機の送風性能を向上すること。【解決手段】本発明の電気掃除機は、ブラケット９のフランジ部１１と円筒部１０との交差部全周に気流の通路面積を拡大する方向に凹部１３を形成し、前記凹部１３の空間内でエアガイド５の戻り通路羽根６を風の流れの下流方向に延長することを特徴とする構成とした。これにより、ブラケット９と固定子１間の幅が広くなり、回転ファン４から吐き出された空気がエアガイド５内部を通りブラケット９内部に流れ込む際の風量が増し、かつ、空気の流れを急激に変化するのを防ぐことがでる。また、エアガイド５の戻り通路羽根６を延長することで気流が拡散することなく整流され、効率よくブラケット９内部に風を送ることができ、送風性能を向上させた高効率の電動送風機を提供することができる。【選択図】図１
2006177284.tif 000002
【特許請求の範囲】
【請求項１】
固定子鉄心を有した固定子と、前記固定子の内側に配置される回転子と、前記固定子を収納し、前記回転子を回転自在に挟持する円筒部およびフランジ部を有するブラケットと、前記回転子の回転軸の一端に固定された回転ファンと、前記回転ファンで発生した気流を導くエアガイドと、前記回転ファンとエアガイドを覆うファンケースとを備え、前記フランジ部と円筒部との交差部で下流方向に、気流の通路面積を拡大する略円筒状の凹部を形成し、前記凹部の空間内にエアガイドの戻り通路羽根を延長させた電動送風機。
【請求項２】
固定子鉄心を有した固定子と、前記固定子の内側に配置される回転子と、前記固定子を収納し、前記回転子を回転自在に挟持する円筒部およびフランジ部を有するブラケットと、前記回転子の回転軸の一端に固定された回転ファンと、前記回転ファンで発生した気流を導くエアガイドと、前記回転ファンとエアガイドを覆うファンケースとを備え、前記フランジ部の前記エアガイドの戻り通路羽根同士の間に、前記エアガイドからの気流の向きに沿って通路面積が拡大する略放射状のフランジ凹部を設けた電動送風機。
【請求項３】
凹部またはフランジ凹部に、凹凸加工を施した請求項１または２に記載の電動送風機。
【請求項４】
請求項１〜３のいずれか１項に記載の電動送風機を備えた電気掃除機。
【発明の詳細な説明】
【技術分野】
【０００１】
本発明は、主に電気掃除機に使用される電動送風機に関するものであり、特に、風の流れを良くすることで送風性能を向上させるものに関するものである。
【背景技術】
【０００２】
近年、掃除機等における高出力化競争が激しくなり、基幹部品である電動送風機について高出力・高効率化が要望されている。
【０００３】
以下、図面を参照意しながら従来の電動送風機について説明する。図１２は従来の電動送風機の構成を示す部分断面図である。図１２において１は固定子、２は回転子、９は固定子１の内側に配置される回転子２を収納する円筒部１０の一端開口縁に、この円筒部１０の外側に張り出すフランジ部１１を設けて形成されたブラケットである。ブラケット９には回転子２に電流を伝えるカーボンブラシを収納した異形管１６が設けられている。
【０００４】
また、４は回転子２の回転軸３に固定された回転ファン、５は周辺部に複数の風入口を有するとともに、これら風入口に連なる複数の戻り通路羽根６を内面に設けて形成され、かつ、回転ファン４とブラケット９の一端開口を覆って設けられ、回転ファン４から吐き出された風をブラケット９内に導くエアガイド、７はエアガイド５および回転ファン４を覆うファンケースで、ブラケット９に圧入固定してある。
【０００５】
以上のように構成される電動送風機について、以下その動作について説明する。電動送風機に電源が印加されると回転子２が高速で回転する。次に、回転子２が回転することにより回転軸３に固定された回転ファン４が回転する。よって、回転ファン４が高速回転することによりファンケース７の吸気口８から空気を吸い込み、回転ファン４の内部を通ってエアガイド５によりブラケット９内部へ導かれる。その後、ブラケット９内部へ導かれた空気は固定子１と回転子２を冷却しながら外部へ排出される。
【０００６】
そして、前記ブラケット９の円筒部１０とフランジ部１１との交差部に複数個の凹部状の通風路１２を放射状に設けてある。
【０００７】
この構成によって、回転ファン４から吐き出された空気がエアガイド５内部を通りブラケット９の内部に流れ込む際の空気の流れが急激に変化するのを防ぐことができ、送風性能を高めることができる（例えば、特許文献１参照）。
【特許文献１】特開平６-２５７５９８号公報
【発明の開示】
【発明が解決しようとする課題】
【０００８】
しかしながら、前記従来の構成では、回転ファン４から吸込まれた空気がエアガイド５を通り、ブラケット９に流れ込む際、ブラケット円筒部１０とフランジ部１１との交差部に凹部状の通風路１２が複数個しか設けられていないために、一部通風路が設けられていない箇所において、空気の流れが急激に変化し気流の乱れが生じるとともに、空気流量が少なくなることで送風性能を低下させていた。
【０００９】
また、固定子１や異形管１６等に、エアガイド５からブラケット９内に流れ込む空気と衝突する平面部面積が大きいことで送風性能を低下させていた。
【００１０】
また、エアガイド５からブラケット円筒部１０に流れ込む空気は、回転ファン４側からブラケット９方向へ真っ直ぐ流れるのではなく、エアガイド戻り通路羽根６の形状により、ブラケット９内部を回転しながら流れている。
【００１１】
しかしながら、固定子１とブラケット９は、固定子１の四隅で隙間無くブラケット９と圧入固定されている為、ブラケット円筒部１０内部を回転しながら流れていく空気を遮る形になり、送風性能を低下させていた。
【課題を解決するための手段】
【００１２】
前記従来の課題を解決するために、本発明の電動送風機は、ブラケットのフランジ部と円筒部との交差部全周に気流の通路面積を拡大する方向の凹部を形成し、前記凹部の空間内でエアガイドの戻り通路羽根を風の流れの下流方向に延長したものである。
【００１３】
これによって、ブラケットと固定子間の幅が広くなり、回転ファンから吐き出された空気がエアガイド内部を通りブラケットの内部に流れ込む際の風量が増し、かつ、空気の流れを急激に変化するのを防ぐことができ、かつ、エアガイドの戻り通路の羽根を延長することで気流が拡散することなく整流され、効率よくブラケット内部に風を送ることができ送風性能を向上させることが可能となる。
【発明の効果】
【００１４】
本発明の電動送風機は、電動送風機内の風の流れを良くすることで、送風性能を向上させることができる。
【発明を実施するための最良の形態】
【００１５】
第１の発明は、固定子鉄心を有した固定子と、前記固定子の内側に配置される回転子と、前記固定子を収納し、前記回転子を回転自在に挟持する円筒部およびフランジ部を有するブラケットと、回転軸の一端に固定された回転ファンと、前記回転ファンで発生した気流を導くエアガイドと、前記回転ファンとエアガイドを覆うファンケースとを備え、前記フランジ部と円筒部との交差部に気流の通路面積を拡大する方向の凹部を形成し、前記凹部の空間内でエアガイドの戻り通路羽根を風の流れの下流方向に延長することにより、ブラケットと固定子間の幅が広くなり、回転ファンから吐き出された空気がエアガイド内部を通りブラケット内部に流れ込む際の風量が増し、かつ、空気の流れを急激に変化するのを防ぐことがでる。また、エアガイドの戻り通路羽根を延長することで気流が拡散することなく整流され、効率よくブラケット内部に風を送ることができ、送風性能を向上させた高効率の電動送風機を提供することができる。
【００１６】
第２の発明は、固定子鉄心を有した固定子と、前記固定子の内側に配置される回転子と、前記固定子を収納し、前記回転子を回転自在に挟持する円筒部およびフランジ部を有するブラケットと、回転軸の一端に固定された回転ファンと、前記回転ファンで発生した気流を導くエアガイドと、前記回転ファンとエアガイドを覆うファンケースとを備え、前記フランジ部には前記エアガイドの戻り通路羽根と羽根との間に、前記エアガイドからの気流の向きに沿って通路面積が風の流れの下流方向に向かって深くなるフランジ凹部を設けることにより、回転ファンが回転することにより発生した気流がエアガイドにより導かれ、ブラケットフランジ部を通り抜ける際、フランジ凹部により、気流がフランジ部と衝突する際の負荷を軽減でき風が整流され、かつ風量も増すことでエアガイドから流れ出る風を効率よくブラケット内部に送ることができ、送風性能を向上させた高効率の電動送風機を提供することができる。
【００１７】
第３の発明は、第１または第２の発明の凹部またはフランジ凹部に、凹凸加工を施すことにより、回転ファンが回転することにより発生した気流がエアガイドにより導かれ、最も速い流速でフランジ部に到達する際、凹部またはフランジ凹部に凹凸加工を設けてあることにより、流速が減速するのを防ぎ、気流を効率よくブラケット内部に送ることができ、送風性能を向上させた高効率の電動送風機を提供することができる。
【００１８】
第４の発明は、特に第１〜３のいずれか１つの発明の電動送風機を電気掃除機に用いることにより、送風性能の向上が可能となり、高効率の電気掃除機を実現することができる。
【００１９】
以下、本発明の実施の形態について図を参照しながら説明する。
【００２０】
（実施の形態１）
図１は本発明の第１の実施の形態の電動送風機の構成を示す部分断面図であり、１は固定子、２は回転子、３は回転軸、４は回転ファン、５はエアガイド、６はエアガイド戻り通路羽根、７はファンケース、８は吸気口、９はブラケット、１０はブラケット円筒部、１１はブラケットフランジ部であり、これは従来例と一緒である。
【００２１】
以上のような構成の元で、以下その動作について説明する。電動送風機に電源が印加されると回転子２が高速で回転する。次に、回転子２が回転することにより回転軸３に固定された回転ファン４が回転する。回転ファン４が回転することにより、ファンケース７の吸込口８から空気を吸い込み、回転ファン４の内部を通ってエアガイド５によりブラケット９内部へ導かれる。
【００２２】
図１に示すように、ブラケット９は固定子１の内側に配置される回転子２を収納する円筒部１０から外側に張り出すフランジ部１１を有し、ブラケットフランジ部１１と円筒部１０との交差部全周に気流の通路面積を拡大する方向の凹部１３を形成し、前記凹部１３の空間内でエアガイド戻り通路羽根６を風の流れの下流方向に延長している。
【００２３】
上記構成による作用は以下の通りである。
【００２４】
電動送風機に電源が印加され、回転ファン４により発生した気流がエアガイド５によりフランジ部１１から円筒部１０へ導かれる際、凹部１３を通過することで、固定子１とブラケット９間の気流の通路面積が大きいことにより空気の流れを急激に変化するのを防ぐことで整流され、スムーズな空気の流れを得ることができ、かつ、ブラケット９内部へ流れ込む風量を増加させることができる。また、エアガイド戻り通路羽根６を風の流れの下流方向へ延長することで気流が拡散するのを防ぎ、気流の乱れを減少することで、効率よくブラケット円筒部１０内部へ気流を導くことができる。これらにより、送風性能を向上させ高効率の電動送風機を実現することができる。
【００２５】
（実施の形態２）
以下に本発明の第２の実施の形態を、図２、図３を用いて説明する。なお、上記第１の実施の形態と同一構成部分には同一符号を付して、その説明は省略する。
【００２６】
図２、図３に示すように、ブラケットフランジ部１１にはエアガイド戻り通路羽根６と羽根との間に、エアガイド５から導かれた気流の向きに沿って通路面積が風の流れの下流方向に向かって深くなるようなフランジ凹部１４を設けている。
【００２７】
上記構成による作用は以下の通りである。
【００２８】
電動送風機に電源が印加され、回転ファン４により発生した気流がエアガイド５によりフランジ部１１から円筒部１０へ導かれる際、ブラケットフランジ部１１のエアガイド戻り通路羽根６と羽根との間に風の流れに沿って深くなるような凹部１４を設けていることにより、気流がフランジ部１１と衝突する際の負荷を軽減でき風が整流され、かつ風量も増すことでエアガイド５により導かれる気流を効率よくブラケット円筒部１０内部に送ることができる。これにより、送風性能を向上させ高効率の電動送風機を実現することができる。
【００２９】
（実施の形態３）
以下に本発明の第３の実施の形態を、図４、図５を用いて説明する。
【００３０】
図４、図５に示すように、実施の形態１または実施の形態２に記載の回転ファン４で発生した気流の通路面積が拡大するよう設けられた凹部１３またはフランジ凹部１４に凹凸加工１５を施している。
【００３１】
上記作用は以下の通りである。
【００３２】
回転ファン４が回転することにより発生した気流がエアガイド５により導かれ、最も速い流速としてフランジ部１１に到達する際、凹部１３またはフランジ凹部１４に凹凸加工１５を施してあることにより、流速が減速するのを防ぎ、気流を効率よくブラケット円筒部１０内部に送ることができる。これにより、送風性能を向上させ高効率の電動送風機を実現することができる。
【００３３】
（実施の形態４）
以下に本発明の第４の実施の形態を、図６を用いて説明する。
【００３４】
図６に示すように、カーボンブラシ２３を収納する異形管１６には、エアガイドからブラケット円筒部内部へと導かれる気流と衝突する天面平面部に、気流の上流方向へ膨らむ半円状の凸部１７を設けている。
【００３５】
上記作用は以下の通りである。
【００３６】
回転ファンが回転することにより発生した気流がエアガイドによりブラケット円筒部内部へと導かれ、異形管１６の天面平面部と衝突する際、異形管１６の天面平面部に気流の上流方向へ膨らむ半円状の凸部１７を設けていることにより、気流が異形管１６と衝突する際の負荷を軽減し、気流の乱れを防ぐことができる。これにより、送風性能を向上させ高効率の電動送風機を実現することができる。
【００３７】
（実施の形態５）
以下に本発明の第５の実施の形態を、図７を用いて説明する。
【００３８】
図７に示すように、固定子１にはエアガイド５から流れ出す風と衝突する固定子１の天面と側面とで形成される角部に面取り１８を施している。
【００３９】
上記作用は以下の通りである。
【００４０】
回転ファン４が回転することにより発生した気流がエアガイド５によりブラケット円筒部１０内部へと導かれ、固定子１と衝突する際、固定子１にエアガイド５からブラケット９内部へと導かれる風と衝突する固定子１の天面と側面とで形成される角部に面取り１８を施すことにより、気流が固定子１と衝突する際の負荷を軽減し、かつ、気流がブラケット円筒部１０へ入り込む際、固定子１とブラケット円筒部１０壁面間の面積が大きくなることで、気流の通路面積が拡大し、気流の乱れを防ぐことができる。これにより送風性能を向上させ高効率の電動送風機を実現することができる。
【００４１】
（実施の形態６）
以下に本発明の第６の実施の形態を、図８を用いて説明する。
【００４２】
ブラケット９には回転子２を収納する円筒部１０の内壁に、回転ファン４が回転することにより発生しエアガイド５によりブラケット９内部へと導かれた風の流れとほぼ同一方向かつ、風の上流から下流に向けて気流の通路面積が広く深くなるような凹部１９を設けている。
【００４３】
上記作用は以下の通りである。
【００４４】
ブラケット円筒部１０内部を、エアガイドの戻り通路羽根６の形状により回転しながら流れている気流を、風の流れとほぼ同一方向かつ、風の上流から下流に向けて気流の通路面積が広く深くなるような凹部１９に沿わせて這うようにモータ外部へ導き出すことにより、気流の乱れを防ぎ、かつ、遠心力を働かせることにより送風性能を向上させることができる。これにより送風性能を向上させ高効率の電動送風機を実現することができる。
【００４５】
（実施の形態７）
以下に本発明の第７の実施の形態を、図９を用いて説明する。
【００４６】
図９に示すように、固定子１にはブラケットと圧入固定してあるコーナー部に空気流路部２０を形成している。
【００４７】
上記作用は以下の通りである。
【００４８】
ブラケット円筒部内部を、エアガイド戻り通路羽根の形状により回転しながら流れている気流が、固定子１とブラケットとが圧入固定してあるコーナー部に衝突する際、固定子１にブラケットと圧入固定してあるコーナー部に空気流路部２０を形成していることにより、気流と衝突する際の負荷を低減することができ、気流の乱れを防ぐことで送風性能を向上させることができる。これにより、送風性能を向上させ高効率の電動送風機を実現することができる。
【００４９】
（実施の形態８）
以下に本発明の第８の実施の形態を、図１０を用いて説明する。
【００５０】
図１０に示すように、固定子１には回転ファンが回転することにより発生しエアガイドによりブラケット内部へと導かれた風の流れとほぼ同一方向かつ、風の上流から下流に向けて気流の通路面積が広く深くなるような溝２１を形成してある。
【００５１】
上記作用は以下の通りである。
【００５２】
ブラケット円筒部内部をエアガイドの戻り通路羽根の形状により回転しながら流れている気流を、風の流れとほぼ同一方向かつ、風の上流から下流に向けて気流の通路面積が広く深くなるような溝２１に沿わせてモータ外部へ導き出すことにより、気流の乱れを防ぐことができ、送風性能を向上させることができる。これにより、送風性能を向上させ高効率の電動送風機を実現することができる。
【００５３】
（実施の形態９）
以下に本発明の第９の実施の形態を、図１１を用いて説明する。
【００５４】
図１１に示すように、ブラケット円筒部１０壁面には固定子１と圧入固定してあるコーナー部近傍に、エアガイド５によりブラケット円筒部１０内部へ導かれる風をモータ外部へ逃がす開口２２を設けている。
【００５５】
上記作用は以下の通りである。
【００５６】
ブラケット円筒部１０内部を、エアガイド５の戻り通路羽根６の形状により回転しながら流れている気流が、ブラケット円筒部１０に設けた開口２２を通過することにより、ブラケット９と固定子１とが圧入固定してあるコーナー部に衝突する際の負荷を、低減することで、気流の乱れを防ぐことができ、かつ、風をモータ外部へ逃がすことで、モータ内部の気流の循環効率が向上し、送風性能を向上させることができる。これにより、送風性能を向上させ高効率の電動送風機を実現することができる。
【産業上の利用可能性】
【００５７】
以上のように、本発明にかかる電動送風機は、送風性能を向上させることが可能となり、高効率な電気掃除機等の用途に適用できる。
【図面の簡単な説明】
【００５８】
【図１】本発明の実施の形態１における電動送風機の構成を示す部分断面図
【図２】本発明の実施の形態２における電動送風機の構成を示す一部欠載平面図
【図３】同、電動送風機のエアガイドの底面図
【図４】本発明の実施の形態３における電動送風機の構成を示す一部断面側面図
【図５】同、電動送風機の要部拡大断面図
【図６】本発明の実施の形態４における電動送風機の構成を示す断面図
【図７】本発明の実施の形態５における電動送風機の構成を示す部分断面図
【図８】本発明の実施の形態６における電動送風機の構成を示す部分断面図
【図９】本発明の実施の形態７における電動送風機の構成を示す全体図
【図１０】本発明の実施の形態８における電動送風機の構成を示す全体図
【図１１】本発明の実施の形態９における電動送風機の構成を示す部分断面図
【図１２】従来の電動送風機の構成を示す部分断面図
【符号の説明】
【００５９】
１  固定子
２  回転子
３  回転軸
４  回転ファン
５  エアガイド
６  エアガイド戻り通路羽根
７  ファンケース
８  吸気口
９  ブラケット
１０  円筒部
１１  フランジ部
１２  ブラケット通風路
１３  凹部
１４  フランジ凹部
１５  凹凸加工
１６  異形管
１７  異形管天面平面部凸部
１８  固定子面取り部
１９  ブラケット円筒部内壁凹部
２０  固定子コーナー部空気流路部
２１  固定子溝
２２  ブラケット開口
２３  カーボンブラシ
【図１】
2006177284.tif 000003
【図２】
2006177284.tif 000004
【図３】
2006177284.tif 000005
【図４】
2006177284.tif 000006
【図５】
2006177284.tif 000007
【図６】
2006177284.tif 000008
【図７】
2006177284.tif 000009
【図８】
2006177284.tif 000010
【図９】
2006177284.tif 000011
【図１０】
2006177284.tif 000012
【図１１】
2006177284.tif 000013
【図１２】
2006177284.tif 000014